(57)【特許請求の範囲】
【請求項１】
少なくとも一方が長さ方向と直角に移動できる、２つの一般的に細長い平行なジョーと、前記ジョーの長さ方向と実質的に平行な進路に沿って直線的に移動できる移送キャリッジによって支持されたフィーラとを有る輪郭読み取り装置を校正するための校正ゲージであって、該校正ゲージは眼鏡フレームの代わりに校正すべき輪郭読み取り装置に取り付けられるようになっており、且つプレートを含み、２つの横リブがこのプレートから突出し、横リブは第１の方向に互いにほぼ平行であり、第２の方向に互いに隔てられている、校正ゲージ。
【請求項２】
前記横リブは前記プレートと垂直な真っ直ぐなフランクを有する、請求項１に記載の校正ゲージ。
【請求項３】
前記横リブは直線である、請求項１に記載の校正ゲージ。
【請求項４】
前記プレートから突出し、前記第２の方向に延びる少なくとも１つの長手方向リブをさらに有する、請求項１に記載の校正ゲージ。
【請求項５】
前記長手方向リブは前記プレートと垂直な真っ直ぐなフランクを有する、請求項４に記載の校正ゲージ。
【請求項６】
前記長手方向リブは直線である、請求項４に記載の校正ゲージ。
【請求項７】
前記長手方向リブは前記横リブと実質的に直交している、請求項４に記載の校正ゲージ。
【請求項８】
前記プレートから突出した２つの間隔を隔てた長手方向リブを有する、請求項４に記載の校正ゲージ。
【請求項９】
前記２つの横リブと前記２つの長手方向リブは互いに連続していて一緒になってフレームを形成する、請求項８に記載の校正ゲージ。
【請求項１０】
前記フレームのコーナは丸くされている、請求項９に記載の校正ゲージ。
【請求項１１】
前記プレートから突出し、形板を受け入れる２つの平行なピンを備えたボスを有する、請求項９に記載の校正ゲージ。
【請求項１２】
前記ボスは前記ピン間に軸線方向にねじ山付きハブを有する、請求項１１に記載の校正ゲージ。
【請求項１３】
前記プレートから突出し、形板を受け入れる２つの平行なピンを備えたボスを有し、前記ボスは前記フレームの中心にある、請求項９に記載の校正ゲージ。
【請求項１４】
前記プレートはその側の一方の縁から突出した局部的な芯出し用突出部を有する、請求項１に記載の校正ゲージ。
【請求項１５】
前記プレートの前記芯出し用突出部は前記横リブ間の実質的に中間にある、請求項１４に記載の校正ゲージ。
【請求項１６】
前記プレートの前記芯出し用突出部は実質的に台形の輪郭を有する、請求項１４に記載の校正ゲージ。
【請求項１７】
前記プレートの少なくとも一方の縁に沿って前記プレートと垂直で、前記プレートの各側に突出し、且つノッチを有するフランジを備え、ノッチはプレートを横切ってフランジを２つのラグに分割する、請求項１に記載の校正ゲージ。
【請求項１８】
前記プレートの各コーナに１つずつ、ラグに分割された、４つのフランジを有する、請求項１７に記載の校正ゲージ。
【請求項１９】
請求項１ないし１８のいずれか１項による校正ゲージを利用する眼鏡フレームの読み取り装置を校正する方法。
【発明の詳細な説明】
【０００１】
【産業上の利用分野】
本発明は一般的には、種々のパラメータについて正確な基準を得る眼鏡フレームの輪郭を読み取るための装置を最初に使用するときに行われなければならない校正に関し、この様な校正はその後、周期的に、そして要求されるときに繰り返されることは理解される。
本発明は最も正確には、少なくとも一方が長さ方向と直角に移動できる、２つの一般的に細長い平行なジョーと、前記ジョーの長さ方向と実質的に平行な進路に沿って直線的に移動する移送キャリッジ上で回転するターンテーブル上で直線的に移動する読み取りキャリッジによって支持されたフィーラとを有する輪郭読み取り装置の校正に関する。
【０００２】
【従来の技術及び発明が解決使用とする課題】
ジョーが関係する限り、この主の輪郭読み取り装置は例えば、１９９１年５月７日に出願され、第２６６５３８７号として公告されたフランス特許出願第９１０５６１９号に説明されている。
フィーラが関係する限り、この種の輪郭読み取り装置は１９８９年１０月６日に出願され、第２６５２８９３号として公告されたフランス特許出願第８９  １３０７９号に説明されている。
実際には上記の輪郭読み取り装置はフィーラの位置について極座標を採用し、読み取りキャリッジは半径を与えるフィーラを支持し、ターンテーブルは角度を与える読み取りキャリッジを支持する。
【０００３】
持ち上がる課題は、極座標の中心として選ばれる、ターンテーブルの中心に対するフィーラの活動部、即ちポイントの位置が要求される確かさで知られていないこと、また同様に、輪郭が読み取られる眼鏡フレームの下部に当たるようになったジョーの装置のフレームに対する位置が基準軸線を提供するように選ばれること、に関係し、またジョーが眼鏡フレームのリム又はまわり枠間でフィーラを移動させる移送キャリッジの進路と必ずしも厳密に平行ではないことに関係する。
この平行欠如はうかつにも、「高さ」の違いをこれらのリム又はまわり枠の次々の読みに導入することがある。
これらの課題を解消するためには、輪郭読み取り装置を校正することが必要である。
本発明の目的は、このような校正に適した校正ゲージ及び校正ゲージを使用する校正方法を提供することにある。
【０００４】
【課題を解決するための手段】
本発明は少なくとも一方が長さ方向と直角に移動できる、２つの一般的に細長い平行なジョーと、前記ジョーの長さ方向と実質的に平行な進路に沿って直線的に移動する移送キャリッジ上で回転するターンテーブル上で直線的に移動する読み取りキャリッジによって支持されたフィーラとを有する輪郭読み取り装置を校正するための校正ゲージからなり、校正ゲージは眼鏡フレームの代わりに校正すべき輪郭読み取り装置に取り付けられるようになっており、且つプレートを含み、２つの横リブがこのプレートから突出し、横リブは第１の方向に互いにほぼ平行であり、第２の方向に互いに隔てられている。
本発明の校正ゲージのこの第２方向は、実際には、輪郭読み取り装置のジョーの長さ方向と平行であるから、校正ゲージの２つの横リブにより、２つの寸法、即ちこれらの横リブの内側フランク間の寸法及び横リブの外側フランク間の寸法を測定することができ、これら２つの寸法はフィーラを支持する読み取りキャリッジの基準パラメータを与える２つの未知数の２つの式を解き、それによって読み取りキャリッジを支持するターンテーブルの中心に対するフィーラのポイントの正確な位置を決定するのに用いることができる。
【０００５】
本発明の校正ゲージはプレートから突出し、第２の方向に、かくして輪郭読み取り装置のジョーの長さ方向に延びる、以下便宜上長手方向リブと称される少なくとも１つの他のリブを有する。
実際には、２つの平行な長手方向リブがある。
２つの長手方向リブは装置の基準軸線を提供するジョーの方向をチェックするのに用いられる。
２つの長手方向リブはまた移送キャリッジの進路がそのジョーと平行であることをチェックするのに用いられる。
全体的に、チェックすべき輪郭読み取り装置を校正するのに必要とされる操作は上記装置の使用によって有利に単純化される。
本発明の特徴及び利点は添付概略図面を参照して例示としてなされている以下の説明から明らかになろう。
【０００６】
【発明の実施の形態】
図１に図式的に示すように、本発明が適用する輪郭読み取り装置１０は特に、眼鏡フレーム１２の両リム又はまわり枠１１の輪郭を読み取るようになっている。
輪郭読み取り装置は眼鏡フレーム１２を保持するための２つのジョー１３Ａ、１３Ｂと、眼鏡フレームの輪郭を読み取るためのフィーラ１５とを有する。
２つのジョー１３Ａ、１３Ｂは平行であり、一般的に、図１に点線で示す長手方向Ｄに細長い。
２つのジョーがそれらの間で眼鏡フレーム１２を把持することができるように、眼鏡フレームの前面の全体的な平面で、ジョー１３Ａ、１３Ｂのうちの少なくとも１つはその長手方向Ｄに対して横方向に移動できる。
図示した実施形態では、ジョー１３Ａ、１３Ｂの両方が長手方向Ｄに対して横方向に移動できる。
このために、ジョーの各々は、長手方向と垂直方向に細長いそれぞれのベルト１７Ａ、１７Ｂにそれぞれのブラケット１６Ａ、１６Ｂによって連結され２つのベルトはプーリ１８のまわりにエンドレスループをなして通る。
【０００７】
装置の同期操作のために、ベルト１７Ａのプーリー１８の１つは駆動モータ１９の出力軸と一緒に回転するようにこの出力軸にキー止めされ、他の１つは伝達軸２０と一緒に回転するようにこの伝達軸にキー止めされ、ベルト１７Ｂの対応するプーリー１８も伝達軸２０と一緒に回転するようにこの伝達軸にキー止めされる。
ジョー１３Ａ、１３Ｂを反対方向に移動させるために、ジョー１３Ａのブラケット１６Ａはベルト１７Ａのトップランに連結され、ジョー１３Ｂのブラケット１６Ｂはベルト１７Ｂのボトムランに連結される。
図示した実施の形態では、ジョー１３Ａ、１３Ｂの各々は、把持されるべき眼鏡フレーム１２のリム又はまわり枠１１に接触する２つの間隔を隔てた突出支持ブロック２２を備える。
眼鏡フレーム１２をジョー１３Ａ、１３Ｂの平面と垂直に保持するために、図示した実施の形態では、ジョー１３Ａ、１３Ｂの各々の支持ブロック２２はこの平面と垂直な高さが片寄せられた２つのグリッパーフインガー２３と関連し、そのうちの少なくとも１つは可動である。
【０００８】
図示下実施の形態では、ジョー１３Ａは眼鏡フレーム１２のトップ即ちブリッジ２４の付いた眼鏡フレームのサイドに係合するようになっており、この理由で、以下トップジョーと称する。
図示した実施の形態では、以下に出てくる理由で、トップジョー１３Ａはその支持ブロック２２の間の、その中間部にほぼ台形の凹部２５を有する。
ジョー１３Ｂは眼鏡フレーム１２のボトムに係合するようになっており、従って、以下ボトムジョーと称する。
実際には、ボトムジョー１３Ｂは装置の基準軸をなす。
フィーラー１５は直径方向に対向した位置にポイント２６及びヒール２８を有する。フィーラーは軸線方向に可動な支持ロッド２９（図５）の端に取り付けられ、支持ロッド２９はターンテーブル３１上で直線的に移動できる読み取りキャリッジ３０によって支持されている（図２）。
図２に概略的に示すように、読み取りキャリッジ３０は例えばターンテーブル３１に取り付けられた２つの平行なスライド路３３と転がり部材３２によって係合される。
【０００９】
読み取りキャリッジは駆動モータ３６の出力軸にキー止めされたピニオン３５とかみ合ったラック３４を有する。
関連したエンコーダー３７がその位置を特定する。図示した実施形態では、エンコーダー３７はラック３４とかみ合ったピニオン３８を有する。しかしながら、エンコーダーは駆動モータ３６で直接駆動されてもよい。
円形のターンテーブル３１はジョー１３Ａ、１３Ｂの長さ方向Ｄとほぼ平行な直線進路Ｔに沿って移動する移送キャリッジ４０上で回転する。ターンテーブル３１は回転軸線Ａを有する。軸線Ａの位置を図２に示す。移送キャリッジ４０の進路Ｔを図２に点線で概略的に示す。
ターンテーブル３１は駆動モータ４３の出力軸にキー止めされたピニオン４２とかみ合ったラック４１によって駆動される。
移送キャリッジ４０は、例えば、図２に概略的に示すように、ローラ４４によって案内される。
移送キャリッジは駆動モータ４７の出力軸にキー止めされたピニオン４６とかみ合ったラック４５によって駆動される。
【００１０】
上記の構成はそれ自体周知であるか当業者にとって容易であるかのいずれかである。
その上、上記の構成は本発明の一部をなさないから、ここではそれ以上詳細には説明しない。
本発明は輪郭読み取り装置１０を校正する校正ゲージ４８を使用する。
校正ゲージ４８は眼鏡フレーム１２の代わりに校正すべき輪郭読み取り装置１０に取り付けられるように設計されている。
校正ゲージ４８はほぼ長方形のプレート５０を有し、該プレートはこれと垂直のフランジ５１を少なくとも一方の縁に沿って備えている。フランジはプレート５０の両側から突出し、且つフランジを２つのラグ５３に分割するノッチ５２を有する。
図示した実施形態では、実際には、ラグ５３に分割された４つのフランジ５１がプレート５０の各隅に１つずつある。フランジと輪郭読み取り装置１０のそれぞれのグリッパーフィンガー２３と協同するようになっており、図４に点線で概略的に示すように、グリッパーフィンガー２３の一方はノッチ５２に挿入され、他方はラグ５３の１つに当たる。
【００１１】
図示した実施形態では、フランジ５１のラグ５３は内方に突出する。しかしながら、ラグは外方に突出してもよい。
これがどうあろうと、フランジ５１はプレート５０の２つの両縁の端で対をなして同一平面である。
実際には、フランジはプレート５０の長手方向縁、即ち輪郭読み取り装置１０のジョー１３Ａ、１３Ｂと平行になるようになったプレート５０の縁である。
図示した実施形態では、プレート５０は、その長手方向縁の一方から突出し、輪郭読み取り装置１０のジョー１３Ａの凹部２５と係合するようになった芯出し用突起部５５を有し、該突起部は凹部のようにほぼ台形の輪郭を有する。
図示した実施形態では、本発明の校正ゲージ４８はフランジ５１間でプレート５０の他方の長手方向縁にリム５６を有する。プレート５０の片側だけで突出しているので、リム５６は輪郭読み取り装置１０のボトムジョー１３Ｂに、もっと正確には、ジョー１３Ｂの支持ブロック２２に当たる。
本発明の校正ゲージ４８は、プレート５０の、リム５６と同じ側で、プレート５０の中間領域から突出し、図３に示す第１方向Ｄ１に互いにほぼ平行であり、図３に示す第２方向Ｄ２に互いに対して片寄せられている横リブと便宜上称する少なくとも２つのリブ５８を有する。
【００１２】
横リブ５８は実際には、直線であり、校正ゲージ４８が輪郭読み取り装置１０に取り付けられたときには、それらの方向Ｄ１はジョー１３Ａ、１３Ｂの長さ方向Ｄと垂直である。
横リブ５８は実際にはプレート５０と垂直な真っ直ぐなフランク５９、６０を有する。
内側フランク５９間の距離はＣ１であり、外側フランク６０間の距離はＣ２である。これらの距離Ｃ１、Ｃ２は高い精度で知られている。
図示した実施形態では、横リブ５８は同じ厚さであるが、これは強制ではない。
横リブ５８は実際には、プレート５０のそれぞれの横縁に近く、プレートの芯出し用突起部５５は実質的に横縁間の中間である。
図示した実施形態では、本発明の校正ゲージ４８はプレート５０の、横リブ５８と同じ側、従ってフランジ５６と同じ側から突出した少なくとももう１つのリブ６１を有し、このリブ６１は第２方向Ｄ２に、即ち横リブ５８を隔てる方向に延びる。
【００１３】
長手方向リブ６１は実際には直線であり、本発明の校正ゲージ４８が輪郭読み取り装置１０に取り付けられたときには、リブ６１はジョー１３Ａ、１３Ｂの長さ方向Ｄと実質的に平行である。
換言すれば、長手方向リブ６１は横リブ５８と実質的に直交する。
言い方をかえれば、横リブ５８を隔てる方向Ｄ２は横リブが延びる方向Ｄ１と直交する。
図示した実施形態では、本発明の校正ゲージ４８は実際には、プレート５０から突出する２つの間隔を隔てた長手方向リブ６１を有する。
長手方向リブ６１は両方ともプレート５０と垂直な真っ直ぐなフランク６２、６３を有する。
図示した実施形態では、長手方向リブは両方とも同じ厚さであり、横リブ５８よりも薄いが、これは強制ではない。
実際には、２つの横リブ５８及び２つの長手方向リブ６１は連続しており、従って一緒になって、コーナー６５付きのフレーム６４を形成する。コーナー６５は、図示した実施形態では、大きな半径で丸くされている。
【００１４】
図示した形態では、本発明の校正ゲージ４８はフレーム６４の中心でプレート５０から突出したボス６７を有し、このボスは図１０及び１１に示すように、型板６８を受け入れる２つの平行な突出ピン６９を備えている。
図示した実施形態では、ボス６７はピン６９の間に軸線方向にねじ山付きハブ７０を有する。
本発明の校正ゲージ４８が合成材料で作られるときには、ハブ７０は例えば、インサートの形態をなす。しかしながら、これは強制ではない。
本発明の校正ゲージ４８を校正すべき輪郭読み取り装置１０に取り付けたら、追従すべき手順は次のとおりである。
先ず最初に、フィーラ１５のポイント２６が、フレーム６４の内側で作動して、図４及び５に概略的に示すように、寸法Ｃ１を読み取るのに用いられる。
次に、フィーラ１５のヒール２８が、フレーム６４の外側で作動して、図４及び５に概略的に示すように、寸法Ｃ２を読み取るのに用いられる。
読み取られた各値はエンコーダ３７の変換で決まり、系統誤差だけ正確な値からずれる。
【００１５】
しかしながら、これらの２つのパラメータ（変換と誤差）について、読み取られた２つの値を２つの式に入れることによって、２つのパラメータを大変簡単な方法で決定することができる。
図８に概略的に示すように、ターンテーブル３１は最初は、図８に太線で指示した元の当接部７２と係合しており、当接部７２と反対側の長手方向リブ６１上の２つの点Ｐ１及びＰ２に次々に位置決めされる。点Ｐ１は１８０°−角度Ａ１に等しいターンテーブル３１の回転Ｒ１に相当し、点Ｐ２は１８０°−角度Ａ１に等しい角度Ａ２に等しい回転Ｒ２に相当する。
角度Ａ１、Ａ２は例えば４５°に等しい。
これがどうあろうと、点Ｐ１、Ｐ２は長手方向６１の中間線に対して対象である。
長手方向リブ６１から読み取られた２つの点Ｐ１、Ｐ２の位置はそのスロープＰ、従って装置の基準軸線のスロープを与える。
図１０及び１１に概略的に示すように、本発明の校正ゲージ４８はまた形板６８の輪郭を読み取るために形板６８を支持するのに使用することができる。
形板６８は好ましくはねじ山付きハブ７０にねじ７３をねじ込むことによって適所に保持される。
勿論、本発明は本文に説明し且つ示した実施形態に限定されず、発明の種々の手法を具体化する。
【図面の簡単な説明】
【図１】  発明が適用してある眼鏡フレームの輪郭読み取り装置のジョー及びフィーラの簡単化した平面図である。
【図２】極座標系においてフィーラを移動させるための、輪郭読み取り装置の構成部品の簡単化した平面図である。
【図３】異なるスケールでの本発明の校正ゲージの斜視図である。
【図４】輪郭読み取り装置の校正の第１段階において、チェックすべき輪郭読み取り装置に適所に装着した校正ゲージの底面図である。
【図５】図４の矢印Ｖの方向によける校正ゲージの側面図である。
【図６】輪郭読み取り装置の校正の他の段階に関する、図４と同様な図である。
【図７】輪郭読み取り装置の校正の他の段階に関する、図５と同様な図である。
【図８】校正のさらなる段階のための、図５及び７の図と同様な部分底面図である。
【図９】校正のさらなる段階のための、図５及び７の図と同様な部分底面図である。
【図１０】  本発明の校正ゲージを使用する他の方法を示す図４と同様な図である。
【図１１】本発明の校正ゲージを使用する他の方法を示す図５と同様な図である。
【符号の説明】
１０  輪郭読み取り装置
１１  リム又はまわり枠
１２  眼鏡フレーム
１３Ａ  ジョー
１３Ｂ  ジョー
１５  フィーラ
２６  ポイント
３０  読み取りキャリッジ
３１  ターンテーブル
４０  移送キャリッジ
４８  校正ゲージ
５０  プレート
５１  フランジ
５２  ノッチ
５３  ラグ
５８  横リブ
５９  フランク
６０  フランク
６１  長手方向リブ
６８  形板
【図１】
0003976819.tif 000002
【図２】
0003976819.tif 000003
【図３】
0003976819.tif 000004
【図４】
0003976819.tif 000005
【図５】
0003976819.tif 000006
【図６】
0003976819.tif 000007
【図７】
0003976819.tif 000008
【図８】
0003976819.tif 000009
【図９】
0003976819.tif 000010
【図１０】
0003976819.tif 000011
【図１１】
0003976819.tif 000012